(57)【特許請求の範囲】
【請求項１】
複数の地下タンク内の液位を計測する油面計と、
該油面計の計測データを受信して前記複数の地下タンクに貯留される燃料油の在庫量を管理する液量管理装置と、
給油量の積算量を管理する給油装置と、
該給油装置からの給油データを受信して売り上げ管理を行うＰＯＳ端末と、
前記油面計、液量管理装置、給油装置及びＰＯＳ端末の各々に接続されてデータを送受信する集中監視装置と、
該集中監視装置からのデータを受信して設定時刻に前記複数の地下タンクに貯留される燃料油の在庫量を自動集計するサーバーとを備え、
前記サーバーは、前記給油装置に設けられた複数の給油ノズルと、前記複数の地下タンクとを対応付ける情報を記憶することを特徴とする在庫管理システム。
【請求項２】
前記サーバーは、前記給油装置の使用日の総給油量を、前記給油ノズル毎に記憶することを特徴とする請求項１に記載の在庫管理システム。
【発明の詳細な説明】
【技術分野】
【０００１】
本発明は、複数の給油所の在庫及び漏洩管理の一元化を図った在庫管理システムに関する。
【背景技術】
【０００２】
一般に燃料油を供給する給油所では、複数の地下タンクが埋設され、これらの地下タンク内にはガソリン、軽油等の燃料油を貯留している。給油所の作業員は、始業時及び終業時に地下タンク内の燃料の在庫量、各給油装置より供給された燃料の供給量、タンクローリーから地下タンクへ荷卸しされた燃料の受入量等を所定の記録帳に記録している。
【０００３】
本出願人は、特許文献１に、地下タンクに付設された油面計の測定値に基づいて算出された、地下タンク内の燃料油の在庫量を記憶する在庫量記憶手段と、油面計で計測された、地下タンクへの燃料油の受入量を記憶する受入量記憶手段と、地下タンクへの燃料油の受入時に発生した燃料油の気化分を回収する液化回収装置からの回収量を記憶する回収量記憶手段と、地下タンクに接続された計量機からの給油量を記憶する給油量記憶手段と、各記憶手段に記憶されたデータを自動集計するデータ自動集計手段等を備え、記録帳の自動集計を行う技術を提案した。
【先行技術文献】
【特許文献】
【０００４】
【特許文献１】特開２０１１−１４９８３０号公報
【発明の概要】
【発明が解決しようとする課題】
【０００５】
上記従来の在庫管理システムは、記録帳の自動集計を行うことができて有効に機能するが、一つの給油所における自動集計を行うことができるに過ぎず、複数の給油所の在庫等の一元管理ができないという問題があった。
【０００６】
そこで、本発明は、上記従来の技術における問題点に鑑みてなされたものであって、グループ給油所等、複数の給油所の在庫及び漏洩管理の一元化を図った在庫管理システムを提供することを目的とする。
【課題を解決するための手段】
【０００７】
上記目的を達成するため、本発明は、在庫管理システムであって、複数の地下タンク内の液位を計測する油面計と、該油面計の計測データを受信して前記複数の地下タンクに貯留される燃料油の在庫量を管理する液量管理装置と、給油量の積算量を管理する給油装置と、該給油装置からの給油データを受信して売り上げ管理を行うＰＯＳ端末と、前記油面計、液量管理装置、給油装置及びＰＯＳ端末の各々に接続されてデータを送受信する集中監視装置と、該集中監視装置からのデータを受信して設定時刻に前記複数の地下タンクに貯留される燃料油の在庫量を自動集計するサーバーとを備え、前記サーバーは、前記給油装置に設けられた複数の給油ノズルと、前記複数の地下タンクとを対応付ける情報を記憶することを特徴とする。
【０００８】
そして、本発明によれば、サーバーによって複数の地下タンクに貯留される燃料油の在庫量を自動集計するため、グループ給油所等、複数の給油所の在庫及び漏洩管理の一元化を図った在庫管理システムを提供することができると共に、早期に地下タンクに貯留されている燃料油の欠減を発見することができ、早期に対応することができる。
【０００９】
また、前記サーバーによって給油装置に設けられた複数の給油ノズルと、複数の地下タンクとを対応付ける情報を記憶することにより、複数の給油ノズルと、地下タンクとの接続関係を確認することなく、地下タンクからの燃料油の漏洩の有無を正確に判定することができる。
【００１０】
上記在庫管理システムにおいて、前記サーバーは、前記給油装置の使用日の総給油量を、前記給油ノズル毎に記憶することができる。これにより、給油装置が備える消耗品の交換時期を知らせることができる。
【発明の効果】
【００１１】
以上のように、本発明によれば、複数の給油所の在庫及び漏洩管理の一元化を図ることなどが可能な在庫管理システムを提供することができる。
【図面の簡単な説明】
【００１２】
【図１】本発明にかかる在庫管理システムの一実施の形態を示す全体構成図である。
【図２】図１に示す在庫管理システムの各機器の機能ブロック図である。
【図３】図１に示す在庫管理システムの動作を説明するための概略図である。
【図４】図１に示す在庫管理システムの動作を説明するためのフローチャートである。
【図５】図１に示す在庫管理システムの動作を説明するための線図である。
【図６】図１に示す在庫管理システムにおいてサーバに送信される電文を示す図である。
【図７】本発明にかかる在庫管理システムを非常用、防災用の備蓄用水の在庫管理に利用した場合を示す全体構成図である。
【発明を実施するための形態】
【００１３】
次に、本発明を実施するための形態について図面を参照しながら詳細に説明する。
【００１４】
図１は、本発明にかかる在庫管理システム１の一実施の形態を示し、この在庫管理システム１は、大別して、給油所に設置される給油装置１０（１０Ａ〜１０Ｃ）と、液量管理装置４０とからなる各給油所機器と、ＰＯＳ端末６０と、地下タンク２０（２０Ａ〜２０Ｃ）とを集中監視するため、各給油所機器とＰＯＳ端末６０との間に配置され、両者とデータ送受信可能に接続される集中監視装置７０と、集中監視装置７０とインターネット等のネットワークを介して接続される集中監視サーバ（以下、「サーバ」と略称する）８０と、サーバ８０とネットワークを介して接続されるサポートセンター９０、複数の給油所を統括する本部１００、及びこの在庫管理システム１を備えた給油所に設けた管理装置（ＰＣ）１１０とで構成される。
【００１５】
図１及び図２に示すように、給油装置１０は、燃料油を供給するため、給油ノズルの掛け外しを検出するノズルスイッチ１２と、給油量を計数するための流量計に設けられパルス発振器１３と、油漏れを検出するピットリークセンサ１４等からの信号に基づいて、給油ポンプ１５や表示器１６等を制御するとともに、給油情報を記憶したり点検報知等の制御を行う給油制御装置１１等で構成される。
【００１６】
上記給油制御装置１１は、パルス発振器１３からの流量パルスを計数することで得られる給油量、ノズルスイッチ１２のオン・オフを計数することで得られる給油回数等の機器稼働に関する情報を記憶する給油情報記憶手段と、給油機構等を制御するための給油制御プログラム等で構成される。
【００１７】
液量管理装置４０は、燃料油を貯留する地下タンク２０の液面を検知する油面計４２（４２Ａ〜４２Ｃ）と、燃料油の温度を検知する温度センサ４３と、検知データ等を表示するための表示器４４と、これらを制御するとともに、地下タンク２０の仕様、液量、変化量を記憶したり、漏れ状況を検知する制御を行う液量管理制御装置４１とで構成される。
【００１８】
上記液量管理制御装置４１は、計時手段と、油面計４２からの液量（在庫量）データを記憶する在庫量記憶手段と、地下タンク２０に漏洩が発生しているか否かを判断する漏洩判断手段と、漏洩判断手段により漏洩が発生していると判断された場合等に警報等を発する報知手段と、各種データを各々表示、印字する表示手段及び印字手段とを備える。
【００１９】
ＰＯＳ端末６０は、クレジットカード等を読み取るカードリーダ６２と、データ入力のためのキーボード６３と、伝票を印字するプリンタ６４と、入力データ等を表示するための表示器６５と、これらを制御するＰＯＳ制御装置６１とで構成され、給油装置１０からの給油要求信号を受信して給油許可信号を出力すると共に、給油装置１０から受信した給油量等の給油データに基づいて精算処理及び売上げ管理を行う。
【００２０】
上記ＰＯＳ制御装置６１は、売上げデータ、タンク残量等の機器状況に関する情報を記憶するＰＯＳ情報記憶手段と、各部を制御するためのＰＯＳ制御プログラムとを有する。
【００２１】
集中監視装置７０は、データを記憶するデータ記憶部と、給油装置１０、液量管理装置４０を含む下位機器に接続されると共に、ＰＯＳ端末６０及びサーバ８０とデータ通信可能に接続される通信制御部とで構成される。
【００２２】
サーバ８０は、集中監視装置７０とデータ送受信可能に接続される通信制御部と、日付及び日時管理を行うためのカレンダー部と、在庫管理情報等の報告書を作成する帳票作成部と、給油装置１０の販売量を油種毎に集計して各情報を閲覧可能に表示する集計・表示部とで構成される。
【００２３】
次に、上記構成を有する在庫管理システム１による在庫管理方法について、図３〜図６を中心に参照しながら説明する。
【００２４】
図３は、在庫管理システム１による在庫管理の対象となる給油所の一例を示し、２台の給油装置１０Ａ、１０Ｂと、４本の地下タンク２０Ａ〜２０Ｄとを備える。
【００２５】
給油装置１０Ａ、１０Ｂには、各々２系統の給油機器が備えられ、各系統には、レギュラー（ノズル１）、ハイオク（ノズル２）、軽油（ノズル３）を給油するためのノズルが各々１本ずつ備えられる。
【００２６】
地下タンク２０Ａ、２０Ｂは、レギュラーガソリンを貯留するために備えられ、これらは、互いに連結されている。地下タンク２０Ｃ、２０Ｄは、各々ハイオクガソリン、軽油を貯留するために備えられる。地下タンク２０Ａ、２０Ｂの給油配管は、給油装置１０Ａ、１０Ｂのレギュラー用ノズル１に接続され、地下タンク２０Ｃ、２０Ｄの給油配管は各々、給油装置１０Ａ、１０Ｂのハイオク用ノズル２、軽油用ノズル３に接続される。
【００２７】
次に、上記給油所における在庫管理方法について、図４を中心に参照しながら説明する。
【００２８】
まず、ステップＳ１において、定期データで「在庫量」と「積算値」に関するデータを給油装置１０、液量管理装置４０及び集中監視装置７０を介してサーバ８０（図１参照）に送信する。ここで、「在庫量」及び「積算値」とは、図５に示すように、その日の終業時（例えば２３：００）等、集中監視装置７０に設定された集計時刻において１日単位で集計されるデータである。「在庫量」は、油種毎に各地下タンク２０の油面計４２によって測定した残油量から算出され、「積算値」は、各給油装置１０の給油ノズル毎の給油量の積算値であって、図６に示すような電文によってサーバ８０に送信される。ここで、給油装置１０Ａ、１０Ｂには、各々２系統の給油機器が備えられているため、サーバ８０には、同時に４つの電文が送信される。
【００２９】
次に、ステップＳ２において、サーバ８０は、ノズル毎に上記積算値と前日の積算値との差を算出し、ステップＳ３において、予めサーバ８０に登録した「ノズル・タンク接続」、すなわち、給油装置１０Ａ、１０Ｂの各ノズル１〜３と、地下タンク２０Ａ〜２０Ｄとの対応関係により、上記４つの電文データを地下タンク２０Ａ〜２０Ｄに紐付し、ステップＳ４において、地下タンク２０Ａ〜２０Ｄ毎に販売量Ｃとして集計する。
【００３０】
上記販売量Ｃを算出したことで、図５に示すように、前日在庫量Ａとタンクローリーからの受入量Ｂとで、計算在庫量Ｄ＝Ａ＋Ｂ−Ｃを算出することができる。
【００３１】
そして、図４のステップＳ５において、計算在庫量Ｄに代えて、その日に各地下タンク２０の油面計４２によって算出した実在庫量Ｅを使用して受入量Ｂ＝Ｅ−Ａ＋Ｃを算出し、１ｋＬ単位に四捨五入する。
【００３２】
最後に、ステップＳ６において、算出したＢを用いて計算在庫量Ｄを、Ｄ＝Ａ＋Ｂ−Ｃより算出し、増減量Ｆ＝Ｅ−Ｄを算出する。ここで、増減量がマイナスの場合には欠減方向にあることを意味する。このようにして算出された増減量Ｆを監視することで、早期に地下タンクに貯留されている燃料油の欠減を発見することができ、早期に対応することができる。
【００３３】
以上より、タンクローリーからの受入量Ｂを各地下タンク２０の油面計４２によって算出することができない給油所であっても簡易的な在庫管理を可能とし、複数の給油所の在庫及び漏洩管理の一元管理を行うことができる。
【００３４】
表１に示すように、上記Ａ〜Ｆのデータに加え、販売量Ｃの累計Ｇと、増減量Ｆの累計Ｈと、累計増減率Ｉ（＝Ｈ／Ｇ）を一覧表にして帳票として管理することができ、該帳票をサーバ８０に表示したり、サーバ８０に表示した帳票をサポートセンター９０、本部１００及び管理装置１１０でダウンロードして印刷することで、従来給油所で手書されていた記録帳に代えることができ、データの記載忘れや、集計の煩わしさから解放することができる。また、在庫状況に異常がある場合には、サーバ８０からサポートセンター９０等に警報メールを送信することもできる。
【００３５】
【表１】
0005434988.tif 000002
【００３６】
また、この在庫管理システム１を導入した初日の積算値に基づき、給油装置１０のホース、その他の消耗品の次回の消耗品通知量と時期をサーバ８０の給油所基本情報に登録し、サーバ８０が給油装置１０のノズル数分の上記積算値を給油装置１０の番号と共に受信し、使用期間の導入日を基準に１ヶ月単位で更新し、例えば、通知量は１５０万Ｌ、期間は３６ヶ月として、表２〜表４に示す一覧表として消耗品の管理を行うことができる。
【００３７】
【表２】
0005434988.tif 000003
【００３８】
【表３】
0005434988.tif 000004
【００３９】
【表４】
0005434988.tif 000005
【００４０】
さらに、上記在庫管理システム１を燃料油の在庫管理に利用するだけでなく、非常用、防災用の備蓄用水の在庫管理にも利用することができる。
【００４１】
一部の自治体は、普段は排水管の一部として機能させて新鮮な水道水を流し、断水時には、入口及び出口の弁が閉まり、タンク内に飲料を確保する災害用地下給水タンクを設置している。そこで、図７に示すように、サーバ８０で非常用、防災用の備蓄用水の在庫管理を行うことで、地下タンク２０の供給口２０ａより緊急用の生活用水の配送を可能とし、緊急用生活用水の配送計画に役立てることができる。
【符号の説明】
【００４２】
１  在庫管理システム
１０（１０Ａ〜１０Ｃ）  給油装置
１１  給油制御装置
１２  ノズルスイッチ
１３  パルス発振器
１４  ピットリークセンサ
１５  給油ポンプ
１６  表示器
２０（２０Ａ〜２０Ｃ）  地下タンク
２０ａ  供給口
４０  液量管理装置
４１  液量管理制御装置
４２（４２Ａ〜４２Ｃ）  油面計
４３  温度センサ
４４  表示器
６０  ＰＯＳ端末
６１  ＰＯＳ制御装置
６２  カードリーダ
６３  キーボード
６４  プリンタ
６５  表示器
７０  集中監視装置
８０  集中監視サーバ
９０  サポートセンター
１００  本部
１１０  管理装置
【図１】
0005434988.tif 000006
【図２】
0005434988.tif 000007
【図３】
0005434988.tif 000008
【図４】
0005434988.tif 000009
【図５】
0005434988.tif 000010
【図６】
0005434988.tif 000011
【図７】
0005434988.tif 000012